(57)【特許請求の範囲】
【請求項１】
ＲＧＢ色空間である第１の色空間で表される画像データをＣＭＹ色空間である第２の色空間で表される画像データに変換するＬＵＴ方式の画像色変換手段と、
前記画像色変換手段によって参照されるＲＧＢ色空間の画像データとＣＭＹ色空間の画像データの対応を示す色変換ＬＵＴと、
前記色変換ＬＵＴの格子点アドレスに相当する三属性のデータで示される第１の格子点色座標データを記億するメモリと、
前記第１の格子点色座標データに対して色調整を施し、第２の格子点色座標データを出力する色調整手段と、
前記色調整手段に調整パラメータを入力し、前記メモリに記憶されている第１の格子点色座標データに調整パラメータを合成する色調整パラメータ合成手段と、
前記色調整手段から出力された調整量である調整済格子点データを、入力画像データと同一の色空間であるＲＧＢの画像データに変換するＲＧＢ変換手段と、
色調整された結果である前記第２の格子点色座標データに基づくデータであり、前記第１の色空間のＲＧＢの画像データを、出力画像データと同一の色空間の前記第２の色空間で表されるＣＭＹ画像データに変換する無調整色変換手段と、
前記第２の格子点色座標データに基づくデータであり、前記第１の色空間のＲＧＢの画像データに対する前記無調整色変換結果を色変換ＬＵＴに反映する色変換ＬＵＴ更新手段と、
を具備し、
前記色調整手段において、前記メモリに予め記憶されている全ての格子点のＬＣＨデータに対して調整パラメータ合成手段から与えられるＬ，ＣおよびＨのそれぞれの調整パラメータＩ，ｃおよびｈを用い、
Ｌ´＝Ｌ＋ｌ、
Ｃ´＝Ｃ×ｃ、および
Ｈ´＝Ｈ＋ｈ
で示される変換式により、調整後の全ての格子点データＬ´，Ｃ´およびＨ´を求め、調整後の格子点ＬＣＨデータ（Ｌ´，Ｃ´およびＨ´）を、前記ＲＧＢ変換手段により入力画像データと同一の色空間であるＲＧＢに変換し、さらに前記無調整色変換手段により出力画像データと同一の色空間であるＣＭＹの画像データに変換することを特徴とするカラー画像処理装置。
【請求項２】
ＲＧＢ色空間である第１の色空間で表される画像データをＣＭＹ色空間である第２の色空間で表される画像データに変換するＬＵＴ方式の画像色変換手段と、
前記画像色変換手段によって参照されるＲＧＢ色空間の画像データとＣＭＹ色空間の画像データの対応を示す色変換ＬＵＴと、
前記色変換ＬＵＴの格子点アドレスに相当する三属性のデータで示される第１の格子点色座標データを記億するメモリと、
第１の色調整パラメータを記憶する不揮発性書き換え可能メモリと、
別途入力される第２の色調整パラメータと前記不揮発性書き換え可能メモリに記憶された第１の色調整パラメータとを用いて第３の色調整パラメータを合成する色調整パラメータ合成手段と、
第３の色調整パラメータを用いて前記第１の格子点色座標データに対して色調整を施し、第２の格子点色座標データを出力する色調整手段と、
前記色調整手段から出力された調整量である調整済格子点データを、入力画像データと同一の色空間であるＲＧＢの画像データに変換するＲＧＢ変換手段と、
色調整された結果である前記第２の格子点色座標データに基づくデータであり、前記第１の色空間のＲＧＢの画像データを、出力画像データと同一の色空間の前記第２の色空間で表されるＣＭＹ画像データに変換する無調整色変換手段と、
前記第２の格子点色座標データに基づくデータであり、前記第１の色空間のＲＧＢの画像データに対する前記無調整色変換結果を色変換ＬＵＴに反映する色変換ＬＵＴ更新手段と、
具備し、
前記色調整手段において、前記メモリに予め記憶されている全ての格子点のＬＣＨデータに対して調整パラメータ合成手段から与えられるＬ，ＣおよびＨのそれぞれの調整パラメータＩ，ｃおよびｈを用い、
Ｌ´＝Ｌ＋ｌ、
Ｃ´＝Ｃ×ｃ、および
Ｈ´＝Ｈ＋ｈ
で示される変換式により、調整後の全ての格子点データＬ´，Ｃ´およびＨ´を求め、調整後の格子点ＬＣＨデータであるＬ´，Ｃ´およびＨ´を、前記ＲＧＢ変換手段により入力画像データと同一の色空間であるＲＧＢに変換し、さらに前記無調整色変換手段により出力画像データと同一の色空間であるＣＭＹの画像データに変換する際に、
調整済ＬＣＨデータであるＬ´，Ｃ´およびＨ´の設定に用いられる調整パラメータｌ，ｃおよびｈを、前記調整パラメータ合成手段において、予め不揮発性書き換え可能メモリに設定されている調整パラメータと前記別途入力される調整パラメータを、
ｌ＝ｌＮＶＲＡＭ＋ｌＰＡＮＥＬ、
ｃ＝ｃＮＶＲＡＭ×ｃＰＡＮＥＬ、および
ｈ＝ｈＮＶＲＡＭ＋ｈＰＡＮＥＬ
添え字ＮＶＲＡＭは、不揮発性書き換え可能メモリに記憶されている調整量を、
同ＰＡＮＥＬは、前記別途入力される調整量を、
それぞれ示す、
により示される変換式により、
設定することを特徴とするカラー画像処理装置。
【発明の詳細な説明】
【０００１】
【発明の属する技術分野】
この発明は、静電写真プロセスを用いて、対象物の画像を被転写材に複製する画像形成装置に適用可能なカラー画像処理装置に関する。
【０００２】
【従来の技術】
カラー複写機における色調整は、出力された画像が入力された画像（原稿）を正しく色再現していない場合の補正や、入力画像と意図的に異なる色を出力する場合に行う処理である。
【０００３】
従来より開示されている色調整の手法としては、画像データを、色の三属性である色相（Ｈ）・明度（Ｌ）・彩度（Ｃ）を表す三属性座標系データに変換し、三属性座標上で個々の属性を増減することにより調整した後、元の色空間（ＲＧＢ（赤・緑・青による加法混色すなわち色光三原色）あるいはＣＭＹ（シアン・マゼンタ・イエローによる減法混色すなわち色材三原色）等）に戻すという方法が一般的である。
【０００４】
しかし、この方法では、三属性座標系との変換に求められる処理時間が非常に大きくなることが知られている。
【０００５】
このため、ＲＧＢ色空間から比較的単純な演算によって三属性との相関が高い色空間（ＨＳＶ等）に変換する方法も考案されているが、三属性との相関の精度は必ずしも十分ではない。
【０００６】
【発明が解決しようとする課題】
これとは別に、カラー複写機では、色光三原色（ＲＧＢ）色空間で表現される入力画像データを色材三原色（ＣＭＹ）色空間に変換して記録媒体上に再現する際に利用される色変換工程において、色変換のパラメータを求める方法として、装置（複写機）自身が出力したサンプルカラーパッチ（カラーサンプル画像）を読み込ませて複数色のパッチのＲＧＢ−ＣＭＹデータの組を収集し、最小二乗法を用いてＲＧＢからＣＭＹへの変換多項式の係数を求める方法が知られている。
【０００７】
しかしながら、この作業では、カラーパッチを読み込ませる際に機械的精度が必要となる。また、精度の良い色変換パラメータを求めるためには、できるだけ多数色のカラーパッチを用いることが望ましく、その一方で、一定面積の用紙に多数色のパッチを出力するには、個々のパッチ面積を小さくしなければならないという相反する条件が存在する。
【０００８】
このことは、パッチ読取からデータ抽出にいたるまでに要求される機械的精度としてより厳しい精度が要求されることとなり、例えば精度を優先させる場合、色変換パラメータを求めるための時間を十分に長くとることが必要となる。その一方で、処理時間を低減するために、例えばカラーパッチの数を減少させることは、色変換の精度を低下させる問題がある。
【０００９】
この発明の目的は、カラー複写機等に適用可能で、高速かつ高精度で、しかも低コストな色調整および色変換が可能な画像処理装置を提供することにある。
【００１０】
【課題を解決するための手段】
この発明は、上記問題点に基づきなされたもので、ＲＧＢ色空間である第１の色空間で表される画像データをＣＭＹ色空間である第２の色空間で表される画像データに変換するＬＵＴ方式の画像色変換手段と、前記画像色変換手段によって参照されるＲＧＢ色空間の画像データとＣＭＹ色空間の画像データの対応を示す色変換ＬＵＴと、前記色変換ＬＵＴの格子点アドレスに相当する三属性のデータで示される第１の格子点色座標データを記億するメモリと、前記第１の格子点色座標データに対して色調整を施し、第２の格子点色座標データを出力する色調整手段と、前記色調整手段に調整パラメータを入力し、前記メモリに記憶されている第１の格子点色座標データに調整パラメータを合成する色調整パラメータ合成手段と、前記色調整手段から出力された調整量である調整済格子点データを、入力画像データと同一の色空間であるＲＧＢの画像データに変換するＲＧＢ変換手段と、色調整された結果である前記第２の格子点色座標データに基づくデータであり、前記第１の色空間のＲＧＢの画像データを、出力画像データと同一の色空間の前記第２の色空間で表されるＣＭＹ画像データに変換する無調整色変換手段と、前記第２の格子点色座標データに基づくデータであり、前記第１の色空間のＲＧＢの画像データに対する前記無調整色変換結果を色変換ＬＵＴに反映する色変換ＬＵＴ更新手段と、を具備し、
前記色調整手段において、前記メモリに予め記憶されている全ての格子点のＬＣＨデータに対して調整パラメータ合成手段から与えられるＬ，ＣおよびＨのそれぞれの調整パラメータＩ，ｃおよびｈを用い、
Ｌ´＝Ｌ＋ｌ、
Ｃ´＝Ｃ×ｃ、および
Ｈ´＝Ｈ＋ｈ
で示される変換式により、調整後の全ての格子点データＬ´，Ｃ´およびＨ´を求め、調整後の格子点ＬＣＨデータ（Ｌ´，Ｃ´およびＨ´）を、前記ＲＧＢ変換手段により入力画像データと同一の色空間であるＲＧＢに変換し、さらに前記無調整色変換手段により出力画像データと同一の色空間であるＣＭＹの画像データに変換することを特徴とするカラー画像処理装置を提供するものである。
【００１１】
またこの発明は、ＲＧＢ色空間である第１の色空間で表される画像データをＣＭＹ色空間である第２の色空間で表される画像データに変換するＬＵＴ方式の画像色変換手段と、
前記画像色変換手段によって参照されるＲＧＢ色空間の画像データとＣＭＹ色空間の画像データの対応を示す色変換ＬＵＴと、前記色変換ＬＵＴの格子点アドレスに相当する三属性のデータで示される第１の格子点色座標データを記億するメモリと、第１の色調整パラメータを記憶する不揮発性書き換え可能メモリと、別途入力される第２の色調整パラメータと前記不揮発性書き換え可能メモリに記憶された第１の色調整パラメータとを用いて第３の色調整パラメータを合成する色調整パラメータ合成手段と、第３の色調整パラメータを用いて前記第１の格子点色座標データに対して色調整を施し、第２の格子点色座標データを出力する色調整手段と、前記色調整手段から出力された調整量である調整済格子点データを、入力画像データと同一の色空間であるＲＧＢの画像データに変換するＲＧＢ変換手段と、色調整された結果である前記第２の格子点色座標データに基づくデータであり、前記第１の色空間のＲＧＢの画像データを、出力画像データと同一の色空間の前記第２の色空間で表されるＣＭＹ画像データに変換する無調整色変換手段と、前記第２の格子点色座標データに基づくデータであり、前記第１の色空間のＲＧＢの画像データに対する前記無調整色変換結果を色変換ＬＵＴに反映する色変換ＬＵＴ更新手段と、具備し、
前記色調整手段において、前記メモリに予め記憶されている全ての格子点のＬＣＨデータに対して調整パラメータ合成手段から与えられるＬ，ＣおよびＨのそれぞれの調整パラメータＩ，ｃおよびｈを用い、
Ｌ´＝Ｌ＋ｌ、
Ｃ´＝Ｃ×ｃ、および
Ｈ´＝Ｈ＋ｈ
で示される変換式により、調整後の全ての格子点データＬ´，Ｃ´およびＨ´を求め、調整後の格子点ＬＣＨデータであるＬ´，Ｃ´およびＨ´を、前記ＲＧＢ変換手段により入力画像データと同一の色空間であるＲＧＢに変換し、さらに前記無調整色変換手段により出力画像データと同一の色空間であるＣＭＹの画像データに変換する際に、調整済ＬＣＨデータであるＬ´，Ｃ´およびＨ´の設定に用いられる調整パラメータｌ，ｃおよびｈを、前記調整パラメータ合成手段において、予め不揮発性書き換え可能メモリに設定されている調整パラメータと前記別途入力される調整パラメータを、
ｌ＝ｌＮＶＲＡＭ＋ｌＰＡＮＥＬ、
ｃ＝ｃＮＶＲＡＭ×ｃＰＡＮＥＬ、および
ｈ＝ｈＮＶＲＡＭ＋ｈＰＡＮＥＬ
添え字ＮＶＲＡＭは、不揮発性書き換え可能メモリに記憶されている調整量を、
同ＰＡＮＥＬは、前記別途入力される調整量を、
それぞれ示す、
により示される変換式により、
設定することを特徴とするカラー画像処理装置を提供するものである。
【００１５】
【発明の実施の形態】
以下、図面を用いてこの発明の実施の形態である画像処理装置について詳細に説明する。
【００１６】
図１は、この発明の第１の実施の形態である画像処理装置を示す概略ブロック図である。
【００１７】
図１に示されるように、第１の実施の形態である画像処理装置１は、図示しない画像読取装置（スキャナ等）からの画像信号が入力される画像入力部２、図示しない画像形成装置（プリンタ等）に向けて画像信号（印字用）を出力する画像出力部３、画像入力部２と画像出力部３との間に設けられ、画像入力部２に入力された画像信号を画像出力部３に出力する際の入力画像（原稿）と出力画像との間の色再現を変更可能な画像処理部４とを有している。
【００１８】
画像処理部４は、色光三原色（ＲＧＢ）に分解された入力画像として画像入力部２から供給された入力画像を、画像出力部３に接続されたプリンタ装置またはカラー複写機等において画像形成に利用する色材三原色（ＣＭＹ）に変換する際に、必要に応じて、すなわち出力画像が入力画像を正しく色再現していない場合の捕正や、入力画像に対して意図的に色を変えて出力したい場合に、以下に説明する色調整を可能とするもので、画像入力部２から入力された画像信号を、以下に説明する調整量に基づいて色変換する画像色変換部１０と画像色変換部１０により色変換すべき調整量を設定する色調整部２０を含む。
【００１９】
色調整部２０には、画像色変換部１０の前段に接続された色変換ルックアップテーブル（以下、ＬＵＴと示す）１１の格子点アドレスに相当する色の三属性、すなわち明度（Ｌ）、彩度（Ｃ）および色相（Ｈ）のそれぞれのデータを、全ての格子点に関して記憶している格子点ＬＣＨデータメモリ２１と、例えばユーザ設定パネル５から入力される調整パラメータと複写機の組立時あるいは調整時に予め設定されて、例えば不揮発性メモリ（ＮＶＲＡＭ）６に記憶されている調整パラメータとに基づいて、合成調整パラメータを合成する調整パラメータ合成部２２が接続されている。
【００２０】
色調整部２０と画像色変換部１０との間には、色調整部２０において、格子点ＬＣＨデータメモリ２１に保持されているＬＣＨ（三属性）のそれぞれのデータと調整パラメータ合成部２２から提供された合成調整パラメータとから色調整部２０により出力された調整量（調整済格子点データ）を、入力画像データと同一の色空間であるＲＧＢに変換するＲＧＢ変換部２３、ＲＧＢ変換部２３から出力されたＲＧＢデータを、出力画像データと同一の色空間であるＣＭＹに変換する無調整色変換部（ＣＭＹ変換部）２４、および無調整色変換部２４から得られたＣＭＹデータに基づいて、画像色変換部１０の前段の色変換ＬＵＴ１１のデータを更新する（書き替える）ＬＵＴ更新部２５が、順に接続されている。
【００２１】
次に、図１に示した画像処理装置１における処理の一例を説明する。
【００２２】
図示しない画像形成装置、例えばカラー複写機において、最終的に画像が出力される記録媒体（用紙）上に形成される画像は、通常、染料あるいは顔料と電荷制御剤および樹脂材料からなるトナー（可視化剤）を、静電複写プロセスにより所定の割合で配列（重ね合わせ）することにより得られる。従って、画像出力部３に要求される色空間としては、色材三原色（ＣＭＹ）である。
【００２３】
これに対して、入力画像の多くは、色光三原色（ＲＧＢ）であり、画像出力部３と画像入力部１との間の画像処理部４において、ＲＧＢ  →  ＣＭＹの色空間が変換されることは既に説明した通りである。しかしながら、ＲＧＢからＣＭＹへの変換において、精度を高めようとすると処理時間が増大し、処理時間を低減しようとすると精度が低下するという相反する問題がある。
【００２４】
そこで、この発明においては、図１に示したように、入力画像データをＲＧＢからＣＭＹに変換する工程は、色変換ＬＵＴ１１によるものとし、色変換ＬＵＴ１１を特定するための色調整の調整量の設定は、色調整部２０により、独立して設定するものとする。
【００２５】
詳細には、色調整部２０において、格子点ＬＣＨデータメモリ２１に予め記憶されている全ての格子点のＬＣＨデータに対して調整パラメータ合成部２２から与えられるＬ，ＣおよびＨのそれぞれの調整パラメータＩ，ｃおよびｈを用い、例えば、
Ｌ´＝Ｌ＋ｌ、
Ｃ´＝Ｃ×ｃ、および
Ｈ´＝Ｈ＋ｈ
で示される変換式により、調整後の全ての格子点データＬ´，Ｃ´およびＨ´を求め、調整後の格子点ＬＣＨデータ（Ｌ´，Ｃ´およびＨ´）を、ＲＧＢ変換部２３により入力画像データと同一の色空間であるＲＧＢに変換し、ＲＧＢに変換された調整済格子点データを、無調整色変換部２４により出力画像データと同一の色空間であるＣＭＹに変換させることにより、色調整部２０に設定された調整量は、画像出力部３に出力される画像色変換部１０の変換量を示す色変換ＬＵＴ１１に反映される。すなわち、無調整色変換部２４から出力されたＣＭＹデータは、ＬＵＴ更新部２５によって、色変換ＬＵＴ１１に書き込まれ、画像色変換部１０が入力画像を変換する変換量となる。なお、無調整色変換部２４は、色調整を伴わないＲＧＢ→ＣＭＹの色空間の変換のみを分担するため、無調整色変換部と称される。
【００２６】
一方、色調整部２０が出力する調整済ＬＣＨデータ（Ｌ´，Ｃ´およびＨ´）の設定（合成）に用いられる調整パラメータｌ，ｃおよびｈは、調整パラメータ合成部２２により、予めＮＶＲＡＭ６に設定されている調整パラメータとユーザ操作パネル５から入力される調整パラメータを、例えば
ｌ＝ｌＮＶＲＡＭ＋ｌＰＡＮＥＬ、
ｃ＝ｃＮＶＲＡＭ×ｃＰＡＮＥＬ、および
ｈ＝ｈＮＶＲＡＭ＋ｈＰＡＮＥＬ
添え字ＮＶＲＡＭは、ＮＶＲＡＭに記憶されている調整量を、
同ＰＡＮＥＬは、ユーザ操作パネルから入力される調整量を、
それぞれ示す
により示される変換式により、一義的に設定される。
【００２７】
このように、この発明の画像処理装置は、色変換ＬＵＴの格子点アドレスに相当する色座標データに対して色調整を施し、この色調整結果に色調整を全く反映しないパラメータで色変換（ＲＧＢからＣＭＹのみの色変換）を実行し、この色変換結果で色変換ＬＵＴを書き換えることにより、入力画像を色調整するものである。
【００２８】
図２は、図１に示した画像処理装置とは異なる第２の実施の形態である画像処理装置の例を示す概略ブロック図である。なお、図１に示した構成と同一の構成には同じ符号を付して詳細な説明を省略する。
【００２９】
図２に示されるように、画像処理装置１０１は、画像入力部２、画像出力部３および画像処理部１０４を有している。
【００３０】
画像処理部１０４は、画像色変換部１０、色変換ＬＵＴ１１およびＬＵＴ更新部２５と、以下に説明する差分色変換部３１、差分色変換パラメータ生成部３２、基本部色変換部Ａ（第１の基本部色変換部）３３、基本色変換パラメータ生成部３４、カラーパッチデータ抽出部３５、および基本部色変換部Ｂ（第２の基本部色変換部）３６を含んでいる。なお、基本色変換パラメータ生成部３４には、ＣＭＹデータメモリａ３７が、差分色変換パラメータ生成部３２には、ＣＭＹデータメモリｂ３８が、基本色変換部Ｂ３６には、格子点ＲＧＢデータメモリ３９が、それぞれ、接続されている。また、画像出力部３には、セレクタ４１を経由してカラーパッチ画像生成部４２が接続されている。
【００３１】
次に、図２に示した画像処理装置１０１における処理の一例を説明する。
【００３２】
まず、基本色変換パラメータの生成方法を説明する。
【００３３】
カラーパッチ画像生成部４２を用いてＣＭＹデータメモリａ３７に記憶されているＣＭＹデータに対応するカラーパッチ画像データを生成し、画像出力部３で（第１の）カラーパッチ画像を出力する。
【００３４】
続いて、出力されたカラーパッチ画像を図示しないスキャナ等により画像入力部２から入力し、入力カラーパッチ画像データを得る。
【００３５】
次に、カラーパッチデータ抽出部３５により入力カラーパッチ画像データからカラーパッチ画像の各色のＲＧＢデータＡを抽出し、基本色変換パラメータ生成部３４に供給する。
【００３６】
以下、抽出されたカラーパッチ画像のＲＧＢデータＡとＣＭＹデータメモリａ３７に記憶されているＣＭＹデータ（カラーパッチ画像を出力させるための元となった同一データ）とを用い、基本色変換パラメータ生成部３４において、以下に示す
【数１】
0004083327.tif 000002
【００３７】
但し、Ｄ００ないしＤ２９は、カラーパッチ画像から求められた
ＲＧＢデータＡのそれぞれに対応する基本色変換パラメータを示し、
Ｒｉ，Ｇｉ，Ｂｉ，Ｒｉ２，Ｇｉ２，Ｂｉ２，ＲｉＧｉ，ＧｉＢｉ，ＢｉＲｉ
および１は、係数項である
が満足されるよう、最小二乗法により、基本色変換パラメータＤ００ないしＤ２９
が生成される。
【００３８】
なお、基本色変換パラメータを設定する際、初期化部４０により、差分色変換パラメータ生成部３２を所定の初期状態に戻して差分色変換を無効とするように設定することもできる。
【００３９】
つぎに、差分色変換パラメータの生成方法を説明する。
【００４０】
カラーパッチ画像生成部４２を用いてＣＭＹデータメモリｂ３８に記億されているＣＭＹデータに対応するカラーパッチ画像データを生成し、画像出力部３で（第２の）カラーパッチ画像を出力する。なお、ＣＭＹデータメモリｂ３８は、ＣＭＹデータメモリａ３７と共用されてもよい。
【００４１】
続いて、出力されたカラーパッチ画像を図示しないスキャナ等により画像入力部２から入力し、入力カラーパッチ画像データを得る。
【００４２】
次に、カラーパッチデータ抽出部３５により入力カラーパッチ画像データからカラーパッチ画像の各色のＲＧＢデータＢを抽出し、基本色変換部Ａ３３に供給する。
【００４３】
以下、先に生成した基本色変換パラメータを用い、カラーパッチＲＧＢデータＢをＣＭＹデータに変換し、差分色変換パラメータ生成部３２に供給する。
【００４４】
次に、カラーパッチＲＧＢデータｂをＣＭＹデータに変換した変換結果Ｃ´，Ｍ´およびＹ´とＣＭＹデータメモリｂ３８に記憶されているＣＭＹデータ（カラーパッチ画像を出力させるための元となった同一データ）とを用い、差分色変換パラメータ生成部３２において、以下に示す
【数２】
0004083327.tif 000003
【００４５】
但し、Ｆ００ないしＦ０２，Ｆ１０ないしＦ１２およびＦ２０ないしＦ２２は、
カラーパッチ画像から求められたＲＧＢデータＢのそれぞれに
対応する差分色変換パラメータを示す
が満足されるよう、最小二乗法により、差分色変換パラメータＦ００ないしＦ０２，Ｆ１０ないしＦ１２およびＦ２０ないしＦ２２が生成される。
【００４６】
次に、色変換ＬＵＴ１１に書き込む値の算出方法を説明する。
【００４７】
第一に、格子点ＲＧＢデータメモリ３９に記憶されている色変換ＬＵＴ１１の全ての格子点アドレスに相当する格子点ＲＧＢデータが、基本色変換部Ｂ３６に供給される。
【００４８】
次に、基本色変換部Ｂ３６により、先に生成された基本色変換パラメータから格子点ＲＧＢデータが格子点Ｃ´，Ｍ´およびＹ´データに変換される。なお、基本色変換部Ｂにおける処理は、先に説明した基本色変換部Ａによる処理と実質的に同一であるから詳細な説明を省略する。
【００４９】
続いて、差分色変換部３１により、先に生成された差分色変換パラメータに基づいて、基本色変換部Ｂから供給される格子点Ｃ´，Ｍ´およびＹ´データが、格子点Ｃ，ＭおよびＹデータに変換される。
【００５０】
このようにして求められた格子点Ｃ，ＭおよびＹデータは、ＬＵＴ更新部２５により、色変換ＬＵＴ１１に書き込まれる。
【００５１】
以下、画像入力部２によって入力された画像データは、画像色変換部１０で、色変換ＬＵＴ１１に書き込まれた更新データに基づいて色変換され、画像出力部３に出力される。
【００５２】
これにより、図示しない画像形成装置から出力される出力画像は、色変換が、基本パラメータによる高精度な変換と変動や個体差を吸収する差分パラメータによる変換とが分離された状態で、基本パラメータについては一度設定されるのみで本質的に変更せずに、以下に付随するユーザによる設定変更分や個体差に対応する条件については、差分パラメータだけを簡易な方法で設定することにより、全体として高精度な色変換特性が維持された状態で出力可能となる。
【００５３】
図３は、図２に示した画像処理装置の別の実施の形態である画像処理装置の例を示す概略ブロック図である。なお、図１または図２に示した構成と同一の構成には同じ符号を付して詳細な説明を省略する。
【００５４】
図３に示されるように、画像処理装置２０１は、画像入力部２、画像出力部３および画像処理部２０４を有している。
【００５５】
画像処理部２０４は、図２に示した画像処理装置１０１に概ね類似し、差分色変換パラメータ生成部２３２、基本部色変換部２３３、基本色変換パラメータ生成部３４、カラーパッチデータ抽出部３５および画像基本部色変換部２４３と、画像出力部３に対して変換された画像データを出力する画像差分色変換部２１０を含んでいる。なお、基本色変換パラメータ生成部３４には、ＣＭＹデータメモリａ３７が、差分色変換パラメータ生成部２３２には、ＣＭＹデータメモリｂ３８が、それぞれ接続されている。また、画像出力部３には、セレクタ４１を経由してカラーパッチ画像生成部４２が接続されている。
【００５６】
次に、図３に示した画像処理装置２０１における処理の一例を説明する。なお、基本色変換パラメータの生成方法は、先に説明した図２の例と実質的に同様であるから説明を省略し、差分色変換パラメータの生成方法について説明する。
【００５７】
カラーパッチ画像生成部４２を用いてＣＭＹデータメモリｂ３８に記億されているＣＭＹデータに対応するカラーパッチ画像データを生成し、画像出力部３でカラーパッチ画像を出力する。
【００５８】
続いて、出力されたカラーパッチ画像を図示しないスキャナ等により画像入力部２から入力し、入力カラーパッチ画像データを得る。
【００５９】
次に、カラーパッチデータ抽出部３５により入力カラーパッチ画像データからカラーパッチ画像の各色のＲＧＢデータＢを抽出し、基本色変換部２３３に供給する。
【００６０】
以下、先に生成した基本色変換パラメータを用い、カラーパッチＲＧＢデータＢをＣＭＹデータに変換し、差分色変換パラメータ生成部２３２に供給する。
【００６１】
次に、カラーパッチＲＧＢデータｂをＣＭＹデータに変換した変換結果Ｃ´，Ｍ´およびＹ´とＣＭＹデータメモリｂ３８に記憶されているＣＭＹデータ（カラーパッチ画像を出力させるための元となった同一データ）とを用い、上述した（２）式が満たされるよう、最小二乗法により、差分色変換パラメータＦ００ないしＦ０２，Ｆ１０ないしＦ１２およびＦ２０ないしＦ２２が生成される。
【００６２】
一方、画像入力部２により入力されたＲＧＢ画像データは、画像基本色変換部２４３によって（１）式より、ＣＭＹ色空間で表される中間画像データ（Ｃ´，Ｍ´およびＹ´データ）に色変換され、さらに画像差分色変換部２１０によって（２）式より、ＣＭＹ画像データに色変換され、画像出力部３により図示しない画像形成装置に、出力される。
【００６３】
以上説明したように、この発明の画像処理装置は、色変換ＬＵＴの格子点アドレスに相当する色座標データに対して色調整を施し、この色調整結果に色調整を全く反映しないパラメータで色変換（ＲＧＢからＣＭＹのみの色変換）を実行し、この色変換結果で色変換ＬＵＴを書き換えることにより、入力画像を色調整するため、色調整をする場合にも無調整の場合と全く同様の処理手順によって画像処理ができ、画像処理における処理時間の増大を防ぐことができる。
【００６４】
また、色変換ＬＵＴの格子点毎に色調整のパラメータを変えることができるため、より自由度の高い色調整を、処理時間の増大を引き起こすことなく、実現できる。
【００６５】
さらに、色調整は、色変換ＬＵＴの格子点アドレスに相当する色座標データであり、測色的色空間との関係が比較的明確な色変換元色空間（スキャナ色空間）のデータを対象とするので、測色的色空間との関係が変動しやすい色材色空間のデータを対象として調整する周知の色調整に比較して、安定で、かつ所望の結果を得やすい色調整が可能となる。
【００６６】
またさらに、色変換を、基本色変換と差分色変換の独立した２段階構成としたので、前段の基本色変換だけでも、高次多項式近似を用いて高精度な色変換を行うことができ、さらに微調整として機能する差分色変換により、より高精度な色変換を達成できる。このことは、装置の組立時に基本色変換パラメータを生成し、装置の個体差や経時変動の吸収を目的として稼動後に差分色変換パラメータを生成する等、稼動状況に応じて色変換パラメータを設定可能とするので、長期に渡って、安定な色調整を可能とする。
【００６７】
また、基本色変換と差分色変換とで、カラーパッチ画像の色構成を変えることができるため、差分色変換の際にだけ、フィールドでの作業に適した取り扱いの容易な少ない色数のパッチ画像を用いるといった使い分けが可能となる。
【００６８】
さらに、基本色変換パラメータと差分色変換パラメータとを独立に求め、その後、双方の色変換パラメータが表す特性を単一の色変換ＬＵＴに反映させることから、画像処理ではＬＵＴ方式の色変換が１段階となり、処理速度が１段階分で高精度の色変換が達成される。このことは、ハードウェア規模も１段階分に抑えることができ、装置コストも低減される。
【００６９】
また、初期化部によって差分色変換を無効化できるため、例えば、基本色変換パラメータを設定した直後のように、差分色変換パラメータが特に要求されないレベルである場合には、差分色変換パラメータの設定作業を省略することができる。
【００７０】
【発明の効果】
以上説明したように、この発明の画像処理装置においては、色変換ＬＵＴの格子点アドレスに相当する色座標データに対して色調整を施し、この色調整結果に色調整を全く反映しないパラメータで色変換（ＲＧＢからＣＭＹのみの色変換）を実行し、この色変換結果で色変換ＬＵＴを書き換えることにより、入力画像を色調整するため、色調整をする場合にも無調整の場合と全く同様の処理手順によって画像処理ができ、画像処理における処理時間の増大を防ぐことができる。
【００７１】
また、色変換を、基本色変換と差分色変換の独立した２段階構成としたので、前段の基本色変換だけでも、高次多項式近似を用いて高精度な色変換を行うことができ、さらに微調整として機能する差分色変換により、より高精度な色変換を達成できる。
【００７２】
さらに、基本色変換パラメータと差分色変換パラメータとを独立に求め、その後、双方の色変換パラメータが表す特性を単一の色変換ＬＵＴに反映させることから、画像処理ではＬＵＴ方式の色変換が１段階となり、処理速度が１段階分で高精度の色変換が達成される。これにより、ハードウェア規模も１段階分に抑えることができ、装置コストも低減される。
【図面の簡単な説明】
【図１】この発明の第１の実施の形態である画像処理装置を説明する概略ブロック図。
【図２】図１に示した画像処理装置とは異なる画像処理装置を説明する概略ブロック図。
【図３】図２に示した画像処理装置の別の実施の形態を説明する概略ブロック図。
【符号の説明】
１・・・画像処理装置、
２・・・画像入力部、
３・・・画像出力部、
４・・・画像処理部、
５・・・ユーザ操作パネル、
６・・・不揮発性メモリ（ＮＶＲＡＭ）、
１０・・・画像色変換部、
１１・・・色変換ＬＵＴ、
２０・・・色調整部、
２１・・・格子点ＬＣＨデータメモリ、
２２・・・調整パラメータ合成部、
２３・・・ＲＧＢ変換部（ＬＣＨ−ＲＧＢ）、
２４・・・無調整変換部（ＲＧＢ−ＣＭＹ）、
２５・・・ＬＵＴ更新部、
３１・・・差分色変換部、
３２・・・差分色変換パラメータ生成部、
３３・・・基本色変換部Ａ、
３４・・・基本色変換パラメータ生成部、
３５・・・カラーパッチデータ抽出部、
３６・・・基本色変換部Ｂ、
３７・・・ＣＭＹデータメモリａ、
３８・・・ＣＭＹデータメモリｂ、
３９・・・格子点ＲＧＢデータメモリ、
４１・・・セレクタ、
４２・・・カラーパッチ画像生成部、
２１０・・・画像差分色変換部、
２３２・・・差分色変換パラメータ生成部、
２３３・・・基本色変換部、
２４３・・・画像基本色変換部。
【図１】
0004083327.tif 000004
【図２】
0004083327.tif 000005
【図３】
0004083327.tif 000006